(57)【要約】      （修正有）【課題】蓋の上に物が置かれた状態でも、容器内の金品を取り出すことができる金庫を提供する。【解決手段】容器部材２の背面に、上面に把手を備えた蓋部材３を回動可能に取り付けて構成された金庫１であって、容器部材２の正面に、金品を収容するための引き出し部材５０を設け、その引き出し面５１に、蓋の開閉と、引き出しの開閉を行う操作部１０を設けた。【選択図】図２
2015007348.tif 000002
【特許請求の範囲】
【請求項１】
容器部材（２）の背面に、上面に把手（６）を備えた蓋部材（３）を回動可能に取り付けて構成された金庫（１）であって、前記容器部材（２）の正面に、金品を収容するための収容部（５０）を引き出し可能に設けたことを特徴とする金庫。
【請求項２】
上記収容部（５０）の引き出し面（５１）に、第１の操作によって前記蓋部材（３）の開閉を行い、該操作とは逆方向の第２の操作によって、前記収容部（５０）の開閉を行う操作部（１０）を設けたことを特徴とする請求項１に記載の金庫。
【請求項３】
前記操作部（１０）は、前記第１の操作によって、前記引き出し面（５１）の上縁部から出没する第１のＬ字片（１１）と、前記第２の操作によって、前記引き出し面（５１）の下端部から出没する第２のＬ字片（１２）と、を備えてなり、
夫々のＬ字片（１１，１２）の一端部（１１ｂ、１２ｂ）が操作されることで、出没された他端部（１１ｃ、１２ｃ）において前記蓋部材(３)又は前記収容部（５０）の開閉操作が行われることを特徴とする請求項２に記載の金庫。
【請求項４】
前記第１のＬ字片（１１）の回動によって左右方向に移動され、前記蓋部材（３）に設けられた係合部（８ａ）に、前記容器部材（２）に設けられた開口部（１８ａ）を介して係合される被係合部（１６ａ）を備えた移動部材（１６）を設けたことを特徴とする請求項３に記載の金庫。
【請求項５】
前記容器部材（２）の開口縁部（２ａ）に、金品を収容するためのトレイ（４０）を載置し、その下方に前記収容部（５０）を引き出し可能に設けたことを特徴とする請求項１〜請求項４の何れか１つの請求項に記載の金庫。
【請求項６】
前記収容部（５０）は、前記容器部材（２）の開口縁部（２ａ）に載置されたトレイ（４０）であり、その下方に、金品を収容するための第２の収容部（を設けたことを特徴とする請求項１〜請求項４の何れか１つの請求項に記載の金庫
【発明の詳細な説明】
【技術分野】
【０００１】
本発明は、蓋に把手を設けた手提げ用の金庫に関し、特に、使用場所に応じた方法で容器内部にアクセスすることができる金庫に関する。
【背景技術】
【０００２】
金品を収容するための容器部材を蓋座部材で覆った構造の小型の金庫は、蓋部材の上面に把手を設けることで持ち運びができるように構成されている。
容器部材の背面部には蓋部材が回動可能に設けられており、正面部には、ダイヤル錠などの施錠手段、蓋の開閉操作を行うための操作部などが設けられる。開錠された状態で、操作部を押し下げることによって蓋が開放され、容器内の金品を取り出すことができる。
【特許文献１】特開２０１０−５９７４５号公報
【発明の開示】
【発明が解決しようとする課題】
【０００３】
しかし、種別ごとに別会計で現金出納を行ったり、コンピュータの記憶媒体などを種別ごとに保管したりする際には、複数の金庫を積み重ねて使用されることがある。また、机上の狭いスペースで使用される場合には、蓋の上に書類などが一時的に載置されることもある。
このような使用状態において、金庫から金品を取り出す際には、蓋の上のものを取り除く必要があり、煩雑であった。
【０００４】
そこで、本発明は、蓋の上に物が載置された状態でも、容器内の金品を取り出すことが可能な金庫の提供を目的とする。
【課題を解決するための手段】
【０００５】
上記課題を解決するために、本発明は、容器部材の背面に、上面に把手を備えた蓋部材を回動可能に取り付けて構成された金庫であって、前記容器部材の正面に、金品を収容するための収容部を引き出し可能に設けたことを特徴とするものである。
この場合、上記収容部の引き出し面に、第１の操作によって前記蓋部材の開閉を行い、該操作とは逆方向の第２の操作によって、前記収容部の開閉を行う操作部を設けてもよい。
前記操作部は、前記第１の操作によって、前記引き出し面の上縁部から出没する第１のＬ字片と、前記第２の操作によって、前記引き出し面の下端部から出没する第２のＬ字片と、を備えてなり、夫々のＬ字片の一端部が操作されることで、出没された他端部において前記蓋部材又は前記収容部の開閉操作が行われるようにしてもよい。
【０００６】
前記第１のＬ字片の回動によって左右方向に移動し、前記蓋部材に設けられた係合部に、前記容器部材に設けられた開口部を介して係合される被係合部を備えた移動部材を設けたことを特徴とするものであってもよい。
また、前記容器部材の開口縁部に、金品を収容するためのトレイを載置し、その下方に前記収容部を引き出し可能に設けてもよい。
或いは、前記収容部は、前記容器部材の開口縁部に載置されたトレイであり、その下方に、金品を収容するための第２の収容部を設けてもよい。
【発明の効果】
【０００７】
請求項1に係る金庫は、容器部の背面に蓋部を回動可能に取り付けて構成された金庫において、容器部の正面に、金品を収容するための収容部を引き出し可能に設けたので、蓋部材を開閉せずとも、容器内部の金品にアクセスすることができる。これによって、金庫を積み重ねて使用することができるようになり、使用場所に応じた容器内部へのアクセスが可能となる。
請求項２に係る金庫は、収容部の引き出し面に、第１の操作によって前記蓋部の開閉を行い、該操作とは逆方向の第２の操作によって、前記収容部の開閉を行う操作部を設けたので、迅速な開閉操作が可能となる。引き出し面に操作部を設けたので、収容部が閉まった状態でなければ、蓋の開閉ができないので、防犯上好ましい。
【０００８】
請求項３に係る金庫は、内部にアクセスするための操作部を、第１の操作によって引き出し面の上縁部から出没する第１のＬ字片と、それとは逆方向の操作によって、引き出し面の下端部から出没する第２のＬ字片とによって構成し、夫々のＬ字片の一端部が操作されることで、出没された他端部において夫々の部材が開閉されるようにしたので、１つの操作部によって２通りのアクセスが可能となる。
請求項４に係る金庫は、第１のＬ字片の回動によって左右方向に移動する移動部材を設け、その移動部材が、容器部材に設けられた開口部を介して、蓋部材に係合されるので、引き出し状の収容部が閉じているときでなければ、蓋部材が開放されないようにすることができる。引き出し状の収容部が不用意に開放されない機構を、簡単な装置で実現できるので、製造コストを低減できる。
【０００９】
請求項５に係る金庫は、容器部材の開口縁部に、金品を収容するためのトレイを載置し、その下方に収容部を引き出し可能に設けたので、トレイに収容された金品にアクセスすることなく、収容部内の金品を取り出すことができる。また、トレイにアクセスする際には、蓋部材のみを開放すればよいので、不要なアクセスの機会を低減させることができる。
請求項６に係る金庫は、収容部を、容器部材の開口縁部に載置されたトレイとしたので、蓋部材の上に物が載置されているときには、収容部を引き出すことで内部の金品にアクセスできるようになる。これによって、使用場所に応じたアクセス方法が可能となる。
【図面の簡単な説明】
【００１０】
【図１】本発明の第１実施形態に係る金庫を示す斜視図である。
【図２】上記金庫の引き出し部を開放した状態を示す斜視図である。
【図３】上記引き出し部の正面部を分解した状態を示す斜視図である。
【図４】操作部の機構の変形態様を示す分解斜視図である。
【図５】上記の変形態様が適用された金庫を示す斜視図である。
【図６】上記金庫の第１変形例を示す斜視図である。
【図７】上記金庫の第２変形例を示す斜視図である。
【発明を実施するための形態】
【００１１】
本発明の好適な実施形態を、添付図面に基づいて説明する。なお、実施形態は以下の形態に限定されるものではなく、本発明の課題を解決し得るものであれば、他の態様も可能である。
図１は、本発明の実施形態に係る金庫１を示す斜視図である。
この金庫１は、容器部材２の背面部に蓋部材３を回動可能に取り付けて構成されたものである。蓋部材３の上面は、中央に凹状の窪み部４を設け、その底面部に把持部５が取り付けられている。把持部５は、手を挿入して掴持できるような形状の把手からなり、上側に回転させることで、運搬時に金庫１の手提げが可能となる。
【００１２】
不使用時には把持部５を窪み部４内に収容することで、複数の金庫１を積み重ねて使用できるようにしている。
蓋部材３の内側面には、図２に示すように、紙幣などを一時的に保持するための挟持部７が設けられる。
蓋部材３の正面部側の開口縁部には、蓋部材３を開閉するための開閉手段８が設けられる。この開閉手段８は、容器部材２の開口縁部２ａに設けられた開口部１８ｂを介して引き出し部５０と係合することで、蓋部材３の遮蔽状態が維持されるように設計されている。
【００１３】
容器部材２は、耐火性の高い材料からなる有底無蓋の箱状体であり、正面部には、蓋部材３の開閉操作を行うための操作部１０と、各種の施錠手段２０、３０とが設けられている。
容器部材２の内部は、金品を収容するための収容部となっている。即ち、蓋部材３を開けると、容器２の縁部に沿って形成された開口縁部２ａに、別部材からなるトレイ４０が載置された状態である。
トレイ４０には、硬貨や紙幣等を種類ごとに分離して収容するために、硬貨や紙幣のサイズに応じた複数の収容部が画成されている。
【００１４】
これら複数の収容部のうち、紙幣を収容するための紙幣収容部４１には、札押さえ部材４２が設けられる。硬貨を収容するための収容部には、別部材からなる蓋付きの硬貨用容器４３が嵌め込まれている。
上記構成のトレイ４０の下方に、金品を収容するための引き出し部材５０がスライド可能に収容される。この引き出し部材５０は、金品を収容するための収容部となるものであり、容器部材２の正面に表れている操作部１０と施錠手段２０，３０は、この引き出し部材５０の正面部（引き出し面５１）に設けられている。
【００１５】
施錠手段は、鍵穴に鍵を差し込んで回転させて施錠・開錠の操作を行うシリンダ錠２０と、所定の目盛りに合わせてダイヤルを回転させることで施錠・開錠されるダイヤル錠３０とによって構成される。このダイヤル錠３０には、不使用時にダイヤルを覆うことで、意に反してダイヤルが操作されてしまうことを防止するためのカバー部材３１がスライド自在に取り付けられている。
双方の施錠手段２０、３０の開錠された状態で、中央の操作部１０を下方向に操作することで蓋部材３が開放され、上方向に操作することで、引き出し部材５０が開放される。
【００１６】
即ち、引き出し部材５０の正面部（即ち、引き出し面５１）には、シリンダキー２０の鍵穴と、ダイヤル錠３０と、操作部１０と、を備えた化粧板９が取り付けられており、この化粧板９を外し、引き出し面５１の内部を分解すると、図３のようになる。
引き出し面５１とその裏板５１ａの間には、施錠・開閉機構を設けるための基盤５１ｂが配設されており、その基盤５１ｂ上に、操作部１０の上下動によって変位されるＬ字片１１，１２が、上下対称となるように２個設けられている。
【００１７】
上方位置に設けられた第１のＬ字片１１は、蓋部材３を開閉するためのものであり、Ｌ字状の屈曲部１１ａにおいて、基盤５１ｂに回動可能に取り付けられる。下方位置のＬ字片１２は、引き出し部材５０を開閉する際に使用されるものであり、上方位置のものと同様、Ｌ字状の屈曲部１２ａにおいて、基盤５１ｂに回動可能に取り付けられる。
操作部材１０の裏面には、Ｌ字片１１，１２に対応する位置に、夫々を回動させるための操作突起１３、１４を有する操作部材（コの字部材１５）が設けられている。この操作部材は、断面コの字型の部材であり、操作部１０を下方向に操作することで、上方位置の操作突起１３が下降して、第１のＬ字片が操作され、上方向に操作することで、下方位置の操作突起１４が下降して、第２のＬ字片を操作させる。
【００１８】
操作部１０に対する下向き（又は上向き）の操作によって、Ｌ字片１１（又は１２）が回動され、その水平部１１ｂ（又は１２ｂ）が下方向（又は上方向）に変位される。この際、垂直部１１ｃ（又は１２ｃ）が図中左方向（又は右方向）に変位する。
基盤５１ｂとＬ字部材１１，１２との間には、左右方向に移動する移動部材１６が配設される。
【００１９】
この移動部材１６は、容器部材２の正面縁部１８に設けられた被係合部１８ａにおいて、蓋部材３に設けられた開閉手段８との協働によって蓋部材を開閉させるものである（図２を参照）。
即ち、移動部材１６は、第１のＬ字片１１の回動によって左右方向に移動するものであり、蓋部材３に設けられた係合部８ａに係合される被係合部１６ａを有している。これらの係合は、容器部材３に設けられた開口部１８ａと、引き出し部材５０の上端の開口部５３と、を介して行われる。
【００２０】
移動部材１６は、バネ１７によって、被係合方向（図中右方向）に付勢された状態で、基盤５１ｂに取り付けられている。このため、Ｌ字片１１が回動して垂直部１１ｃが、図中左方向に回動されることで、移動部材１６が、バネの付勢力に抗して、被係合方向とは反対方向（図中左方向）に移動し、蓋部材３の係合部８ａとの係合が解除されるように構成できる。これによって、蓋部材３が開放されると同時に、操作部１０を初期位置に復帰させることができる。
蓋部材３を開放する際には操作部１０を下方向に操作することで、操作部１０の裏面の操作突起１３が下方向に移動し、第１のＬ字片１１の水平部１１ｂを下方向に回動させ、垂直部１１ｃの図中左方向への回動によって、移動部材１６の被係合部１８ａを、係合を解除させる方向へと移動させ、蓋部材３を開放させる。
【００２１】
蓋部材３を閉じる場合は、蓋部材３が下降し、下端の係合部８ａが移動部材１６の被係合部１６ａを押圧することで、バネ１７の付勢力が解除される。これによって、移動部材１６が移動して、被係部１６ａに嵌り込む。
下方位置のＬ字片１２は、引き出し部材５０の内部にアクセスする際に使用するものであり、Ｌ字状の屈曲部１２ａにおいて、基盤５１ｂに回転可能に取り付けられる。
コの字部材１５の操作突起１４が、水平部１２ｂを下方向に変位させることで垂直部１２ｃが回動し、容器部材２の底部の被係止部１９から退出するように設計されている。
【００２２】
上記金庫１の使用状態を説明する。
トレイ４０に収容された金品を取り出そうとする場合は、操作部１０を下方向に操作する。これによって、操作部１０の裏側の操作突起部１３が下方向に移動し、第１のＬ字片１１の水平部１１ｂを下方向に回動させる。これによって垂直部１１ｃも回動し、蓋部材３との係合を解除する方向へと移動部材１６を移動させ、蓋部材３を開放させる。
【００２３】
蓋部材３を閉じる際は、蓋部材３を容器部材２に向けて回動させる。これによって、蓋部材３の開口縁部の係止部８ａが、移動部材１６の被係合部１６ａに嵌まり込み、蓋部材３が遮蔽される。
引き出し部材５０に収容された金品を取り出す場合は、操作部１０を上方向に操作する。すると第２のＬ字片１２が上方向に回動され、垂直部１２ｃが回転して被係止部１９から退出する。これによって、引き出し部材５０との係合が解除され、引き出し部材５０がスライド可能となる。
【００２４】
引き出し部材５０の開閉を行う際は、操作部１０を上に持ち上げた状態で引き出し、蓋部材を開閉する際は、操作部１０を押し下げるので、操作性が良好である。
蓋部材３や引き出し部材５０は、常に容器部材３と係合された状態なので、不用意に開閉されることがなく、防犯上好ましい。
また、引き出し面５１に操作部１０が設けられるので、引き出し部材５０を閉じた状態でしか、蓋部材３の開閉操作が行われないようにすることができる。このため、不用意な開閉を避け、金品の収容部へのアクセスの機会を最小限にすることができる。
【００２５】
なお、引き出し部材５０の引き出し面５１に、第１の操作によって蓋部材３の開閉を行い、該操作とは逆方向の第２の操作によって、引き出し部材５０開閉を行う構成の操作部は、本実施形態ものに限らない。
この場合、例えば、図４に示すように、操作部材１０の裏面には突起部１０ａを設け、それによって、第１のＬ字片１１の水平部１１ｂを上下方向に変位させることで、Ｌ字状の垂直部１１ｃが、基盤５１ｂに水平に回動し、引き出し部材５０の上縁部５２に設けられた開口部５３から出没されるようにしてもよい。
【００２６】
容器部材２の正面側の開口縁部２ａには、蓋部材３に設けられた開閉手段８との協働によって蓋部材の開閉させるための水平移動部材１６’が設けられ（図５を参照）。この水平移動部材１６’に、蓋部材３の係合部８ａに係合される被係合部１６ａ’が設けられる。
引き出し部材５０の上端の開口部５３から、第１のＬ字片の垂直部１１ｃを出没させ、容器部材２の開口縁部２ａに沿って左右方向に移動することで、蓋部材３の係合部８ａとの係合状態を変更させる。水平移動部材１６’は、蓋部材２の係合部８ａが設けられた方向（図中左方向）に向けて移動することによって、係合が解除され、被係合方向に移動することで係合される。
【００２７】
本実施形態では、トレイ４０を容器部材２の開口縁部２ａに載置したが、図６に示すように、トレイを設けず、蓋部材３を開放した際に、引き出し部材５０の内部５１ｂがそのまま露呈されるようにしてもよい。このようにすれば、蓋部材３を開放しても、引き出し部材５０を開放しても、いずの方法でも収容部内の金品を取り出すことが可能となる。
また、図７に示すように、容器部材２の下部を収納スペース２ｂとし、その上に、浅いトレイ状の収納部５０を引き出し可能に設けてもよい。
或いは、引き出し部５０の上段に、トレイ状の第２の収容部を引き出し可能に設けてもよい。
【産業上の利用可能性】
【００２８】
本発明は、貴重品を収容するための収容庫として、あらゆる産業分野において使用される金庫に適用することができる。
【符号の説明】
【００２９】
１・・・金庫
２・・・容器部材
４・・・窪み部
５・・・把持部（把手）
７・・・挟持部
８・・・開閉手段
９・・・化粧板
１０・・・操作部
１１、１２・・・Ｌ字片
１３，１４…操作突起
１５…コの字部材
１６・・・移動部材
１７…バネ
１９・・・被係合部
２０・・・シリンダ錠
３０・・・ダイヤル錠
３１・・・カバー部材
４０・・・トレイ
４１・・・紙幣収容部
４２・・・札押さえ部材
４３・・・硬貨用容器
５０・・・引き出し部材（収容部）
５１・・・引き出し面
【図１】
2015007348.tif 000003
【図２】
2015007348.tif 000004
【図３】
2015007348.tif 000005
【図４】
2015007348.tif 000006
【図５】
2015007348.tif 000007
【図６】
2015007348.tif 000008
【図７】
2015007348.tif 000009